(57)【要約】【課題】原稿の搬送不良の発生を防止し、良好な読取画像を取得する画像読取装置を提供すること。【解決手段】本発明の画像読取装置は、原稿を読取る読取位置を構成する透明ユニット上へ原稿を搬送する搬送手段と、前記搬送手段によって搬送される原稿を前記透明ユニットにおける前記読取位置にて読み取る読取手段と、前記透明ユニットに対して原稿搬送方向上流側に設けられ、前記搬送手段によって搬送される前記原稿を前記透明ユニットへ案内する案内部材とを備える。前記案内部材の原稿搬送方向下流側端部の原稿案内面は、前記透明ユニットの原稿案内面よりも高い位置に位置し、かつ、前記案内部材の前記原稿搬送方向下流側端部の前記原稿案内面と反対側の面は、前記透明ユニットの前記原稿案内面よりも低い位置に位置する。【選択図】  図２
2017075019.tif 000002
【特許請求の範囲】
【請求項１】
原稿を読取る読取位置を構成する透明ユニット上へ原稿を搬送する搬送手段と、
前記搬送手段によって搬送される原稿を前記透明ユニットにおける前記読取位置にて読み取る読取手段と、
前記透明ユニットに対して原稿搬送方向上流側に設けられ、前記搬送手段によって搬送される前記原稿を前記透明ユニットへ案内する案内部材と、を備え、
前記案内部材の原稿搬送方向下流側端部の原稿案内面は、前記透明ユニットの原稿案内面よりも高い位置に位置し、かつ、前記案内部材の前記原稿搬送方向下流側端部の前記原稿案内面と反対側の面は、前記透明ユニットの前記原稿案内面よりも低い位置に位置する
ことを特徴とする画像読取装置。
【請求項２】
前記搬送手段を有し、前記透明ユニットに対して開閉可能な原稿給送ユニットをさらに備え、
前記案内部材は、前記原稿給送ユニットに設けられ、前記原稿給送ユニットが前記透明ユニットに対して閉位置にある場合、前記案内部材の前記原稿搬送方向下流側端部の前記原稿案内面は前記透明ユニットの前記原稿案内面よりも高い位置に位置し、かつ、前記案内部材の前記原稿搬送方向下流側端部の前記反対側の面は、前記透明ユニットの前記原稿案内面よりも低い位置に入り込む
ことを特徴とする請求項１に記載の画像読取装置。
【請求項３】
前記透明ユニットは、前記原稿給送ユニットが前記透明ユニットに対して閉位置にある場合、前記案内部材の前記反対側の面が当接する当接部を有している
ことを特徴とする請求項１または２に記載の画像読取装置。
【請求項４】
前記案内部材は、前記原稿給送ユニットが前記透明ユニットに対して閉位置にある場合、前記透明ユニットとの位置決めを行う位置決め部を有している
ことを特徴とする請求項１乃至３のいずれか１項に記載の画像読取装置。
【請求項５】
前記透明ユニットの原稿搬送方向上流側端部は、前記原稿搬送方向と直交する幅方向に凹凸が形成された第１の櫛歯形状部を備え、
前記案内部材の前記原稿搬送方向下流側端部は、前記第１の櫛歯形状部と噛み合うように形成された第２の櫛歯形状部を備え、
前記第１の櫛歯形状部と前記第２の櫛歯形状部とが噛み合うことによって、前記案内部材と前記透明ユニットとの位置決めを行う
ことを特徴とする請求項１乃至３のいずれか１項にに記載の画像読取装置。
【請求項６】
原稿を読取る読取位置を構成する透明ユニット上へ原稿を搬送する搬送手段を有し、前記透明ユニットに対して開閉可能な原稿給送ユニットと、
前記搬送手段によって搬送される原稿を前記透明ユニットにおける前記読取位置にて読み取る読取手段と、
前記透明ユニットの原稿搬送方向上流側に設けられ、前記搬送手段によって搬送される前記原稿を前記透明ユニットへ案内する第１の案内部と、
前記第１の案内部に対して原稿搬送方向上流側であって、前記原稿給送ユニットに設けられ、前記搬送手段によって搬送される原稿を前記第１の案内部へ案内する第２の案内部と、を備え、
前記原稿給送ユニットが閉位置にある場合、前記第１の案内部の原稿搬送方向下流側端部の原稿案内面は、前記透明ユニットの原稿案内面よりも高い位置に位置し、かつ、前記第一の案内部の前記原稿搬送方向下流側端部の前記原稿案内面と反対側の面は、前記透明ユニットの前記原稿案内面よりも低い位置に位置し、
前記原稿給送ユニットが閉位置にある場合、前記第２の案内部の原稿搬送方向下流側端部の原稿案内面は、前記第１の案内部の原稿搬送方向上流側端部の原稿案内面よりも高い位置に位置し、かつ、前記第２の案内部の前記原稿搬送方向下流側端部の前記原稿案内面と反対側の面は、前記第１の案内部の前記原稿搬送方向上流側端部の前記原稿案内面よりも低い位置に位置している
ことを特徴とする画像読取装置。
【請求項７】
前記原稿給送ユニットが前記透明ユニットに対して閉位置にある場合、前記第２の案内部の前記原稿搬送方向下流側端部の前記反対側の面は、前記第１の案内部の前記原稿搬送方向上流側端部の前記原稿案内面よりも低い位置に入り込む
ことを特徴とする請求項６に記載の画像読取装置。
【請求項８】
前記第１の案内部は、前記原稿給送ユニットが前記透明ユニットに対して閉位置にある場合、前記第２の案内部の前記反対側の面が当接する当接部を有している
ことを特徴とする請求項６または７に記載の画像読取装置。
【請求項９】
前記第２の案内部は、前記原稿給送ユニットが前記透明ユニットに対して閉位置にある場合、前記第１の案内部との位置決めを行う位置決め部を有している
ことを特徴とする請求項６乃至８のいずれか１項に記載の画像読取装置。
【請求項１０】
前記第１の案内部の前記原稿搬送方向上流側端部は、前記原稿搬送方向と直交する幅方向に凹凸が形成された第１の櫛歯形状部を備え、
前記第２の案内部の前記原稿搬送方向下流側端部は、前記第１の櫛歯形状部と噛み合うように形成された第２の櫛歯形状部を備え、
前記第１の櫛歯形状部と前記第２の櫛歯形状部とが噛み合うことによって、前記第１の案内部と前記第２の案内部との位置決めを行う
ことを特徴とする請求項６乃至８のいずれか１項にに記載の画像読取装置。
【請求項１１】
請求項１または請求項６に記載の画像読取装置と、
前記画像読取装置で読み取った画像を記録媒体に形成する画像形成手段と、を備える
ことを特徴とする画像形成装置。
【発明の詳細な説明】
【技術分野】
【０００１】
本発明は、画像読取装置および画像形成装置に関し、特に、原稿の搬送を案内する構造に関する。
【背景技術】
【０００２】
複写機等では、ＡＤＦ（自動給送装置）によって透明ユニット（例えばコンタクトガラス）上に原稿を自動搬送し、透明ユニットの下方に固定されたイメージセンサによって原稿の画像を読み取る機能（流し読み）が設けられている。流し読みでは、原稿の搬送がスムーズに行われないと、読取画像に影響を与える場合がある。特許文献１には、透明ユニットへの原稿の搬送をスムーズに行うため、透明ユニットの上流側の搬送路内に、原稿を弾性的に挟みつつその搬送を案内する上下の板状弾性体を設けた構造が開示されている。
【先行技術文献】
【特許文献】
【０００３】
【特許文献１】特開平１０−１３９２１１号公報
【発明の概要】
【発明が解決しようとする課題】
【０００４】
しかし、特許文献１の構造では、板状弾性体が搬送路から突出するように設けられているため、ジャムを起こした原稿を取り除く際に、板状弾性体に負荷がかかってその変形や損傷を招く可能性がある。そして、板状弾性体が変形や損傷することによって、透明ユニットへの原稿の搬送がスムーズに行えなくなり、搬送不良による読み取り画像の異常が発生してしまう場合がある。
【０００５】
本発明の目的は、原稿の搬送不良の発生を防止し、良好な読取画像を取得する画像読取装置を提供することにある。
【課題を解決するための手段】
【０００６】
本発明によれば、
原稿を読取る読取位置を構成する透明ユニット上へ原稿を搬送する搬送手段と、
前記搬送手段によって搬送される原稿を前記透明ユニットにおける前記読取位置にて読み取る読取手段と、
前記透明ユニットに対して原稿搬送方向上流側に設けられ、前記搬送手段によって搬送される前記原稿を前記透明ユニットへ案内する案内部材と、を備え、
前記案内部材の原稿搬送方向下流側端部の原稿案内面は、前記透明ユニットの原稿案内面よりも高い位置に位置し、かつ、前記案内部材の前記原稿搬送方向下流側端部の前記原稿案内面と反対側の面は、前記透明ユニットの前記原稿案内面よりも低い位置に位置する
ことを特徴とする画像読取装置が提供される。
【発明の効果】
【０００７】
本発明によれば、原稿の搬送不良の発生を防止し、良好な読取画像を取得する画像読取装置を提供することができる。
【図面の簡単な説明】
【０００８】
【図１】本発明を適用した画像形成装置の概要図。
【図２】案内構造を示す断面図。
【図３】図２の案内構造を示す他の断面図。
【図４】図２の案内構造周辺を示す斜視図。
【図５】図２の案内構造周辺を示す斜視図。
【図６】（Ａ）は図４のI-I線断面図、（Ｂ）は図４のII-II線断面図、（Ｃ）は図４のIII-III線断面図。
【図７】別実施形態の案内構造周辺を示す斜視図。
【図８】別実施形態の案内構造周辺を示す斜視図。
【図９】（Ａ）は図８のIV-IV線断面図、（Ｂ）は図８のV-V線断面図。
【図１０】（Ａ）は図８のVI-VI線断面図、（Ｂ）は図８のVII-VII線断面図。
【図１１】別実施形態の案内構造周辺を示す斜視図。
【発明を実施するための形態】
【０００９】
＜第一実施形態＞
図１は案内構造１を適用した画像形成装置（ここでは複写機）の概略図である。Ｄ１は主走査方向を示し、Ｄ２は副走査方向を示す。主走査方向Ｄ１は原稿の幅方向であり、副走査方向Ｄ２は主走査方向Ｄ１と直交する方向である。図１の複写機は、画像形成部及び原稿読取部を含む本体２００と、本体２００上で開閉可能に設けられた原稿給送ユニット１００とを備える。画像形成部は、例えば、静電潜像を形成するための回転可能な像担持体として感光体ドラムを用いた電子写真方式により、紙等の記録媒体に画像を形成する機構である。画像形成部は、原稿読取部で読み取った画像を記録媒体に形成することができる。
【００１０】
本体２００は、原稿読取装置に関わる構成として、読取ユニット２０１と、透明ユニット（例えばコンタクトガラス）２０２と、プラテンガラス（コンタクトガラス）２０３とを備える。読取ユニット２０２は、主走査方向Ｄ１に配列される複数の読取素子（例えば光電変換素子）から構成される画像読取センサ（例えばリニアイメージセンサ）、原稿を照明する原稿照明ランプ、原稿の反射光を画像読取センサに導光する光学系等を備える。読取ユニット２０２は、不図示の移動機構により副走査方向Ｄ２に平行移動可能である。
【００１１】
本体２００は、原稿の読取モードとして、通常読取モードと、流し読みモードとを選択可能である。通常読取モードは、読取ユニット２０２をプラテンガラス２０３下で移動することでプラテンガラス２０３上に載置された原稿を走査してその画像を読み取るモードである。流し読みモードでは、透明ユニット２０２が原稿を読取る読取位置を構成し、この読取位置にて読取ユニット２０１が原稿を読み取る。具体的には、読取ユニット２０１を、流し読みガラスである透明ユニット２０２の下方に配置し、透明ユニット２０２上を搬送される原稿を読み取る。したがって、透明ユニット２０２は原稿案内面としても機能する。
【００１２】
原稿給送ユニット１００は、透明ユニット２０２上で副走査方向Ｄ２に原稿を搬送する自動原稿給送装置（ＡＤＦ）である。以下の説明において上流側、下流側という場合は原稿の搬送方向を基準としている。
【００１３】
原稿給送ユニット１００は、本体２００に対して透明ユニット２０２及びプラテンガラス２０３に対して開閉可能に本体２００に支持されている。原稿給送ユニット１００は、シート状の原稿を積載可能な原稿トレイ１１１を有する。原稿トレイ１１１上の原稿は、ピックアップローラ１１２により順次その最上位の原稿から搬送される。
【００１４】
ピックアップローラ１１２により搬送された原稿は分離ローラ１１３及び分離パッド１１４により一枚ずつの原稿に分離される。分離された原稿は、搬送ローラ対１１５、１１６Ａ及び１１６Ｂ、１１７により透明ユニット１０２と搬送ローラ（プラテンローラ）１０４との間を通過するように搬送され、通過の際に、読取ユニット２０１により画像が読み取られる。画像が読み取られた原稿は排出ローラ対１１８により排出トレイ１１９上に排出される。
【００１５】
搬送ローラ１０４及び透明ユニット２０２の上流側には原稿の搬送を案内する案内構造１が設けられている。図２及び図３は案内構造１周辺の垂直断面図を示し、図２は搬送ローラ対１１６Ａ、１１６Ｂから離間した位置での断面図、図３は主走査方向Ｄ１で中央部での断面図であり、後述する凹部１２及び凸部２０２１における断面図を示している。
【００１６】
案内構造１は、搬送ローラ１０４及び透明ユニット２０２の上流側の搬送路ＲＴを形成し、透明ユニット２０２上に原稿を案内する。案内構造１は、透明ユニット２０２から上流側へ一定の範囲で下側に位置する案内部材１０と、上側に位置する案内部材２０とを備える。案内部材１０及び２０はいずれも原稿給送ユニット１００側に設けられた部材で構成されており、原稿給送ユニット１００の開時において、本体２００から離間することになる。
【００１７】
案内部材１０、２０は搬送路ＲＴを画定する搬送案内面１０ａ、２０ａを形成する。搬送案内面１０ａは、原稿の読み取り面側（透明ユニット２０２に対面する面側）の案内面であって、透明ユニット２０２から上流側へ一定の範囲で下側となる案内面である。搬送案内面１０ａは案内部材１０により形成される。搬送案内面２０ａは、原稿の読み取り面とは反対の面側（透明ユニット２０２上に到達したときに上面となる面側）の案内面であって、透明ユニット２０２から上流側へ一定の範囲で上側となる案内面である。搬送案内面２０ａは、案内部材２０により形成される。原稿はこれら搬送案内面１０ａ、２０ａの間の隙間を通過して透明ユニット２０２上に導かれることになる。
【００１８】
案内部材１０の下流側の端部１１は、垂直な下流側端面１１ａを有する。原稿給送ユニット１００が閉位置にある場合（図１〜図３は閉位置にある場合を示す。）には、端面１１ａは図２に示すように透明ユニット２０２の上流側の垂直な端面２０２ａに、搬送方向（Ｄ２方向）に対向する位置にある。本実施形態の場合、図１に模式的に示すように透明ユニット２０２の上流側端面２０２ａの側方には小さな凹部が形成されており、ここに端部１１が入り込む。端部１１は透明ユニット２０２の側方に潜り込むような状態となる。端面１１ａと端面２０２ａとは僅かに離間している。
【００１９】
図２に示すように、搬送案内面１０ａの下流端の位置Ｌ１は、透明ユニット２０２の上面（原稿案内面）の位置Ｌ２よりも高い位置に位置している。このため、搬送案内面１０ａに案内されて搬送される原稿の先端が端面２０２ａに当接することなく、透明ユニット２０２上に導かれる。また、端部１１の搬送案内面１０ａと反対側の面１１ｂは、透明ユニット２０２の上面（原稿案内面）の位置Ｌ２よりも低い位置に位置している。原稿給送ユニット１００が閉位置にあることで、面１１ｂは透明ユニット２０２の上面（原稿案内面）よりも低い位置に入り込むことになる。
【００２０】
本実施形態では、端部１１が透明ユニット２０２の側方に潜り込むようにして端面１１ａと端面２０２ａとを対向させることで、端部１１の厚さＷを比較的厚くしながらも、位置Ｌ１を位置Ｌ２に近接させることができる。端部１１を薄板状にする必要がないので、その強度を確保でき、その変形や損傷が発生する可能性を低くすることができる。また、位置Ｌ１を位置Ｌ２に近接させながらも、高い位置に位置させることで、原稿の搬送をスムーズに案内することができる。したがって、原稿の搬送不良の発生を防止し、良好な読取画像を取得することができる。
【００２１】
位置Ｌ１を透明ユニット２０２の上面の位置Ｌ２よりも高い位置に、より確実に維持するため、案内部材１０は透明ユニット２０２の上面に当接する当接部を備えている。本実施形態では三か所の当接部が設けられている。図４及び図５はその説明図である。図４は案内構造１周辺を示す斜視図であり、原稿給送ユニット１００の構成のうち、案内部材１０よりも上側の構成を分解して上から見た図に相当する。図５も案内構造１周辺を示す斜視図であるが、透明ユニット２０２の下側から見た図に相当する。
【００２２】
図４に示すように、案内部材１０は、主走査方向Ｄ１の両端部に当接部１３、１４をそれぞれ備えている。当接部１３、１４は、原稿と接触しない位置において、透明ユニット２０２の上面へ向けて突出した突起部として形成されている。図６（Ａ）、（Ｃ）は図４のI-I線断面図及びIII-III線断面図であり、それぞれ、当接部１３、１４での断面図である。当接部１３、１４が透明ユニット２０２の上面に当接することで、透明ユニット２０２に対して案内部材１０を上下方向に位置決めできる。これにより、搬送案内面１０ａの下流端の位置Ｌ１を、透明ユニット２０２の上面の位置Ｌ２よりも高い位置により確実に維持できる。
【００２３】
図５に示すように、透明ユニット２０２は主走査方向Ｄ１の中央部に凸部２０２１が形成されている。凸部２０２１は、端面２０２ａから下流側に突出している。案内部材１０の端部１１の底面には、凸部２０２１が進入する凹部１２が形成されている。図６（Ｂ）は図４のII-II線断面図であり、図３も同断面に相当する断面図であり、それぞれ、凸部２０２１及び凹部１２での断面図である。凹部１２の天面が当接部として凸部２０２１の上面に当接することで、透明ユニット２０２に対して案内部材１０を上下方向に位置決めできる。これにより、搬送案内面１０ａの下流端の位置Ｌ１を、透明ユニット２０２の上面の位置Ｌ２よりも高い位置により確実に維持できる。
【００２４】
以上述べた当接部１３、１４及び凹部１２によって、主走査方向Ｄ１の両端部及び中央部で案内部材１０が透明ユニット２０２の上面に当接する。このため、主走査方向Ｄ１全域に渡って案内部材１０を透明ユニット２０２に対して上下方向に位置決めでき、搬送案内面１０ａの下流端の位置Ｌ１を、主走査方向Ｄ１全域に渡って透明ユニット２０２の上面の位置Ｌ２よりも高い位置により確実に維持できる。また、中央部については、凹部１２と凸部２０２１との組合せとすることで、原稿がこれらに引っかかることもない。
【００２５】
＜第二実施形態＞
原稿給送ユニット１００が透明ユニット２０２に対して閉位置にある場合、透明ユニット２０２との位置決めを行う位置決め部を案内部材１０が有していてもよい。例えば、案内部材１０の下流側端部と、透明ユニット２０２の上流側端部とに、互いに入り込む凹凸を設けてもよい。図７はその一例を示す。同図の例では、透明ユニット２０２の上流側端部は、幅方向（Ｄ１方向）に凹凸が形成された櫛歯形状部２０２２を備える。案内部材１０の下流側端部は櫛歯形状部２０２２と噛み合うように形成された櫛歯形状部１５が形成されている。第一実施形態で説明した当接部１３、１４も設けられており、また、第一実施形態で説明した凹部１２、凸部２０２１を設けることも可能である。
【００２６】
櫛歯形状部２０２２と櫛歯形状部１５は、搬送方向（Ｄ２）に突出した凸部と凹んだ凹部とを幅方向（Ｄ１方向）に交互に形成したものである。櫛歯形状部２０２２の凸部が櫛歯形状部１５の凹部に入り込み、この凸部の端面と凹部の端面とは、図２に例示した端面２０２ａと端面１１ａと同様の位置関係にある。また、櫛歯形状部１５の凸部が櫛歯形状部２０２２の凹部に入り込み、この凸部の端面と凹部の端面とは、図２に例示した端面１１ａと端面２０２ａと同様の位置関係にある。
【００２７】
櫛歯形状部２０２２と櫛歯形状部１５とを設けたことで、案内部材１０の下流側端部と、透明ユニット２０２の上流側端部との距離に多少のバラつきがあっても、原稿が透明ユニット２０２の上流側端面に引っ掛かることが回避可能になる。また、Ｄ１方向で、案内部材１０と透明ユニット２０２との間の位置決めを行うことができる。
【００２８】
＜第三実施形態＞
第一実施形態では案内部材１０を全て原稿給送ユニット側に設けたが、透明ユニット２０２に隣接する端部１１を含む部分を別部材で構成し、本体２００側（透明ユニット側）に設けてもよい。図８〜図１０はその一例を示す。図８は本実施形態の案内構造１周辺を示す斜視図であり、原稿給送ユニット１００の構成のうち、案内部材１０よりも上側の構成を分解して上から見た図に相当する。図９（Ａ）、図９（Ｂ）、図１０（Ａ）及び図１０（Ｂ）は順に、図８のIV-IV線断面図、V-V線断面図、VI-VI線断面図及びVII-VII断面図である。
【００２９】
案内部材１０は、案内部１０Ａと案内部１０Ｂとの二部材で構成されている。案内部１０Ａは、第一実施形態の端部１１を有しており、透明ユニット２０２の上流側端部に隣接して本体２００に固定されている。案内部１０Ｂは原稿給送ユニット１００に固定されている。原稿給送ユニット１００が閉位置にある場合において案内部１０Ｂは案内部１０Ａの上流側に隣接し、案内部１０Ａと案内部１０Ｂとで搬送案内面１０ａが形成される。
【００３０】
案内部１０Ａの端面１１ａと、透明ユニット２０２の端面２０２ａとの関係や、搬送案内面１０ａの下流端と透明ユニット２０２との高さの関係は第一実施形態と同様である。本実施形態の場合、案内部１０Ａは本体２００に固定されるので、端面１１ａを端面２０２ａに当接させてもよい。
【００３１】
案内部１０Ｂの下流側端部と、案内部１０Ａの上流側端部との構成は、第一実施形態における端部１１と透明ユニット２０２の上流側端部と同様の構成となっている。
【００３２】
まず、図９（Ｂ）に示すように、案内部１０Ｂの下流側の端部１７は、垂直な端面１７ａを有する。また、案内部１０Ａの上流側の端部１６は、垂直な端面１６ａを有する。原稿給送ユニット１００が閉位置にある場合には、端面１７ａは端面１６ａに、搬送方向（Ｄ２方向）に対向する位置にある。端部１７は端部１６の側方に潜り込むような状態となる。端面１７ａと端面１６ａとは僅かに離間している。
【００３３】
案内部１０Ｂの搬送案内面１０ａの下流端の位置Ｌ１１は、案内部１０Ａの上流側端部の搬送案内面１０ａの位置（搬送案内面１０ａの上流端の位置Ｌ１２）よりも高い位置に位置している。このため、搬送案内面１０ａに案内されて搬送される原稿の先端が端面１６ａに当接することなく、案内部１０Ａ上に搬送され、その後、透明ユニット２０２上に導かれる。また、端部１７の搬送案内面１０ａと反対側の面１７ｃは、案内部１０Ａの搬送案内面１０ａの上流端の位置Ｌ１２よりも低い位置に位置している。原稿給送ユニット１００が閉位置にあることで、面１７ｃは案内部１０Ａの搬送案内面１０ａの上流端の位置Ｌ１２よりも低い位置に入り込むことになる。
【００３４】
本実施形態では、端部１７が端部１６の側方に潜り込むようにして端面１７ａと端面１６ａとを対向させることで、端部１７の厚さを比較的厚くしながらも、位置Ｌ１１を位置Ｌ１２に近接させることができる。また、案内部１０Ａ及び１０Ｂを薄板状にする必要がないので、その強度を確保でき、その変形や損傷が発生する可能性を低くすることができる。また、位置Ｌ１１を位置Ｌ１２に近接させながらも、高い位置に位置させることで、原稿の搬送をスムーズに案内することができる。したがって、原稿の搬送不良の発生を防止し、良好な読取画像を取得することができる。
【００３５】
位置Ｌ１１を位置Ｌ１２よりも高い位置に、より確実に維持するため、案内部１０Ｂは案内部１０Ａに上から当接する当接部を備えている。本実施形態では三か所の当接部が設けられている。
【００３６】
図８に示すように、案内部１０Ｂは、主走査方向Ｄ１の両端部に当接部１８Ａ、１８Ｂをそれぞれ備えている。当接部１８Ａ、１８Ｂは、原稿と接触しない位置において、案内部１０Ａへ向けて突出した突起部として形成されている。図９（Ａ）、図１０（Ｂ）は、それぞれ、当接部１８Ａ、１８Ｂでの断面図である。当接部１８Ａ、１８Ｂが案内部１０Ａに上から当接することで、案内部１０Ａに対して案内部１０Ｂを上下方向に位置決めできる。これにより、案内部１０Ｂにおける搬送案内面１０ａの下流端の位置Ｌ１１を、案内部１０Ａにおける搬送案内面１０ａの上流端の位置Ｌ１２よりも高い位置により確実に維持できる。
【００３７】
図１０（Ａ）に示すように、案内部１０Ｂの主走査方向Ｄ１の中央部に、案内部１６の延設部１６ｂに上から当接する当接部１７ｂが形成されている。当接部１７ｂが延設部１６ｂに当接することで、案内部１０Ａに対して案内部１０Ｂを上下方向に位置決めできる。これにより、案内部１０Ｂにおける搬送案内面１０ａの下流端の位置Ｌ１１を、案内部１０Ａにおける搬送案内面１０ａの上流端の位置Ｌ１２よりも高い位置により確実に維持できる。
【００３８】
以上述べた当接部１８Ａ、１８Ｂ及び１７ｂによって、主走査方向Ｄ１の両端部及び中央部で案内部１０Ｂが案内部１０Ａに当接する。このため、主走査方向Ｄ１全域に渡って案内部１０Ｂを案内部１０Ａに対して上下方向に位置決めでき、案内部１０Ｂにおける搬送案内面１０ａの下流端の位置Ｌ１１を、主走査方向Ｄ１全域に渡って案内部１０Ａにおける搬送案内面１０ａの上流端の位置Ｌ１２よりも高い位置により確実に維持できる。また、中央部については、搬送案内面１０ａよりも下側の位置で、当接部１７ｂと延設部１６ｂとを当接する構成とすることで、原稿がこれらに引っかかることもない。
【００３９】
＜第四実施形態＞
原稿給送ユニット１００が透明ユニット２０２に対して閉位置にある場合、案内部１０Ａとの位置決めを行う位置決め部を案内部１０Ｂが有していてもよい。例えば、第二実施形態と同様に、案内部１０Ｂの下流側端部と、案内部１０Ａの上流側端部とに、互いに入り込む凹凸を設けてもよい。図１１はその一例を示す。同図の例では、案内部１０Ａの上流側端部は、幅方向（Ｄ１方向）に凹凸が形成された櫛歯形状部１９Ａを備える。案内部１０Ｂの下流側端部は櫛歯形状部１９Ａと噛み合うように形成された櫛歯形状部１９Ｂが形成されている。第三実施形態で説明した当接部１８Ａ、１８Ｂも設けられており、また、第三実施形態で説明した当接部１７ｂ、延設部１６ｂを設けることも可能である。
【００４０】
櫛歯形状部１９Ａと櫛歯形状部１９Ｂは、搬送方向（Ｄ２）に突出した凸部と凹んだ凹部とを幅方向（Ｄ１方向）に交互に形成したものである。櫛歯形状部１９Ａの凸部が櫛歯形状部１９Ｂの凹部に入り込み、この凸部の端面と凹部の端面とは、図９（Ｂ）に例示した端面１６ａと端面１７ａと同様の位置関係にある。また、櫛歯形状部１９Ｂの凸部が櫛歯形状部１９Ａの凹部に入り込み、この凸部の端面と凹部の端面とは、図９（Ｂ）に例示した端面１６ａと端面１７ａと同様の位置関係にある。
【００４１】
櫛歯形状部１９Ａと櫛歯形状部１９Ｂとを設けたことで、案内部１０Ｂの下流側端部と、案内部１０Ａの上流側端部との距離に多少のバラつきがあっても、原稿が案内部１０Ａの上流側端面に引っ掛かることが回避可能になる。また、Ｄ１方向で、案内部１０Ａと案内部１０Ｂとの間の位置決めを行うことができる。
【符号の説明】
【００４２】
１  案内構造、１０、２０  案内部材、２０２  透明ユニット、ＲＴ  搬送路
【図１】
2017075019.tif 000003
【図２】
2017075019.tif 000004
【図３】
2017075019.tif 000005
【図４】
2017075019.tif 000006
【図５】
2017075019.tif 000007
【図６】
2017075019.tif 000008
【図７】
2017075019.tif 000009
【図８】
2017075019.tif 000010
【図９】
2017075019.tif 000011
【図１０】
2017075019.tif 000012
【図１１】
2017075019.tif 000013